(57)【特許請求の範囲】
【請求項１】
モジュール式パネルシステムのパネル支持要素内又はその上に取り付ける固体照明ストリップであって：
複数の固体照明要素、
光抽出層、及び
グレア低減層、を含み、
前記光抽出層及び前記グレア低減層は互いに向かい合って配置され、
前記複数の固体照明要素は、前記複数の固体照明要素によって放出される光が前記光抽出層を介して前記グレア低減層に結合されるように、前記光抽出層に隣接して配置され、
前記複数の固体照明要素は、前記光抽出層の両側に、複数の固体照明要素の第１グループと、複数の固体照明要素の第２グループとを含み、
前記グループにおける前記複数の固体照明要素のピッチＰ’は、前記光抽出層の幅Ｗの２倍より小さい、
固体照明ストリップ。
【請求項２】
前記固体照明ストリップの長さ方向にある第１面であり、光出口ウィンドウを含む第１面と、前記第１面の両側にある複数の側面とを有するハウジングをさらに含み、
前記グレア低減層は、前記光出口ウィンドウに対して置かれ、
前記複数の固体照明要素は、規則的な間隔で、前記光抽出層と前記複数の側面のうちの少なくとも１つとの間に置かれる、
請求項１の固体照明ストリップ。
【請求項３】
前記グレア低減層に面する表面の反対側にある前記光抽出層の表面は、反射性部材を持つ、
請求項２の固体照明ストリップ。
【請求項４】
前記ハウジングの内壁は反射性である、
請求項２又は３の固体照明ストリップ。
【請求項５】
前記複数の固体照明要素の第１グループ、及び、前記複数の固体照明要素の第２グループのそれぞれは、異なる色を有する複数の固体照明要素の複数のサブセットを含み、
前記複数のサブセットは、個別に制御可能である、
請求項１の固体照明ストリップ。
【請求項６】
前記第１グループにおける前記複数の固体照明要素は、前記第２グループにおける前記複数の固体照明要素に対して前記ピッチの半分だけオフセットされる、
請求項１乃至５の何れかの固体照明ストリップ。
【請求項７】
請求項１乃至６の何れかに記載の固体照明ストリップを複数含む照明システムであって、
入射する日光、部屋のレイアウト、及び部屋の占有率のうちの少なくとも１つに応じて個々の固体照明ストリップの光出力を設定するためのコントローラをさらに含む、
照明システム。
【請求項８】
モジュール式パネルシステムのパネル支持要素であって、
前記パネル支持要素は、請求項１乃至６の何れかに記載の固体照明ストリップを含む、
モジュール式パネルシステムのパネル支持要素。
【請求項９】
建造物に取り付ける複数の支持部材と複数の支持部材の間に延びる複数のパネル支持要素とを含む支持グリッド；
前記支持グリッドによって支持されるように寸法が決められる複数のパネル；を含み、
前記支持グリッドは、請求項１乃至６の何れかに記載の固体照明ストリップを複数含む、
モジュール式パネルシステム。
【請求項１０】
前記複数の固体照明ストリップは、前記複数のパネル支持要素内に組み込まれ、或いは、前記複数のパネル支持要素に取り付けられる、
請求項９のモジュール式パネルシステム。
【請求項１１】
前記複数のパネル支持要素は、ピッチＰで前記支持グリッドに置かれ、
前記複数の固体照明ストリップのそれぞれは、幅Ｗを有する光出口ウィンドウを含み、
比率Ｗ／Ｐは、０．０２〜０．０８の範囲内にある、
請求項９又は１０のモジュール式パネルシステム。
【請求項１２】
前記比率Ｗ／Ｐは、０．０４である、
請求項１１のモジュール式パネルシステム。
【発明の詳細な説明】
【技術分野】
【０００１】
本発明は、吊り天井等のモジュール式パネルシステム用の照明装置に関する。また、本発明は、そのような照明装置を含む照明システムに関する。さらに、本発明は、そのような照明装置を含む支持要素に関する。さらに、本発明は、そのような照明装置を含むモジュール式パネルシステムに関する。
【背景技術】
【０００２】
建築において、建築費及び建築時間を減らすために、モジュール式パネルシステムが一般的に使用されている。通常、モジュール式パネルシステムは、しばしば美的外観の犠牲の上で、床、壁、及び天井の迅速な建造を可能にしている。そのようなモジュール式パネルシステムの主要例には、例えばオフィススペース等の職場環境のほとんどで見出される吊り天井がある。通常、吊り天井は、長方形又は正方形の凹部を定める金属又はプラスチックのグリッドを含む。それらの凹部は、連続的な天井を形成するためにタイルで埋め尽くされる。
【０００３】
吊り天井等のそのようなモジュール式のシステムでは、照明は、通常、１又は複数のタイルを照明装置等の照明ユニットで置き換えることによって、システム内に統合され得る。ほとんどの吊り天井は、多数の蛍光灯管が存在する照明装置を含む。多くの理由により、そのような照明装置は理想的ではない。第１に、そのような照明装置は、審美的に魅力のないもの、すなわち目障りなものと見なされる。第２に、そのような照明装置の照明効率を改善するために、それらはたいてい反射器を含む。そして、反射器は、通常、放物線形状を有する。しかしながら、この構成は、モジュール式システムの平面に対して浅い角度で反射光が照明装置を出る場合に、オフィススペースにいる人に対するグレアを引き起こし得る。グレアは、オフィス環境において極めて不快なものとなり得る。コンピュータモニタのイメージを見え難くし得るためであり、また、その人が長時間にわたってグレアにさらされると、例えば頭痛又は視力問題といった身体的に不快な状態を引き起こし得るためである。こういうわけで、欧州におけるＩＥＣ６０５９８−１：２００８規格等の安全衛生基準は、照明ソリューションが過度のグレアレベルを防止するための厳格な要件に適合することを求めている。
【０００４】
ソリューションは、グレアを克服するために存在する。直接的なソリューションを図１に示す。図１は、吊り天井照明装置１０を示す。照明装置１０は、放物面反射器１２のそれぞれによって定められる複数のチャンバと、それらチャンバのそれぞれに取り付けられた蛍光灯管１４とを含む。蛍光灯管１４のそれぞれは、照明装置１０の光出口平面１０ａから距離ｄだけオフセットされている（ずらされている）。蛍光灯管１４が発する浅い角度の光が、折れた点線矢印で示すように、放物面反射器１２によって反射されるようにするためである。このことは、その光の出口角度を増大させ、その結果、グレアを低減する。欠点は、このソリューションが、審美的に不満足と見なされ得る比較的かさばる照明装置をもたらす点にある。
【０００５】
別のソリューションを図２に示す。そのソリューションでは、吊り天井に組み込まれる照明装置１０がマイクロレンズ光学プレート／拡散器２０に取り付けられる。また、そのソリューションは、浅い角度の光線が照明装置１０を出るのを防止する機能を有する。この構成は、光の大部分が反射して照明装置１０のチャンバ１１に戻る状況をもたらすので、照明装置１０は、そのような反射光を再生利用するための反射器２２を含み得る。一般的に、マイクロレンズ光学プレートは、プリズムプレートの形をとる。
【０００６】
SwitchMadeという会社は、Paneos（登録商標）の名称の下で市販されている、吊り天井組み込み用の発光ダイオード（ＬＥＤ）ベースの照明装置を提供している。この装置は、蛍光灯管ベースの照明装置に比べてエネルギ消費が少ないという利点を有する。しかしながら、これらの照明装置は天井のタイルを置き換えるので、吊り天井の外観をやはり損なってしまう。
【０００７】
Gemino  Company  (www.gemino.it)は、照明設備が天井のバンドラスタに統合され得る吊り天井ソリューションを市販している。バンドラスタは、吊り天井の主要構造梁で構成される。これは、ＬＥＤ照明等のより小さい形状因子の照明を用いて実現可能なソリューションであり、また、タイルを照明装置で置き換える必要がないという事実により天井の外観を改善できるという利点を有する。しかしながら、このソリューションは、バンドラスタの製造の複雑さを増大させ、その結果、設計全体のコストを増大させてしまう。さらに、このソリューションは、既存設備の改造目的（retrofitting  purposes）には不適であり、また、バンドラスタはメンテナンス目的のために容易に分解できないのでメンテナンスが困難である。
【先行技術文献】
【特許文献】
【０００８】
【特許文献１】国際公開第２００８０５８５８５号パンフレット
【発明の概要】
【発明が解決しようとする課題】
【０００９】
本発明は、安全衛生基準に準拠しながら、既存のモジュール式パネルシステムに簡単に取り付けられ或いは改良目的で組み込まれ得る照明ソリューションを提供しようとする。
【課題を解決するための手段】
【００１０】
本発明の第１態様にしたがって、モジュール式パネルシステムのパネル支持要素内に或いはその上に取り付けるための固体照明ストリップが提供される。そのストリップは、複数の固体照明要素、光抽出層、及びグレア低減層を含む。そして、それら固体照明要素は、それら要素から放出された光が光抽出層を介してグレア低減層に結合されるように配置される。
【００１１】
本発明は、吊り天井等のモジュール式パネルシステムのパネル支持要素に取り付けられるように極めて薄く（例えば２ｍｍ）維持され得る固体照明ストリップの製造を光抽出層とグレア低減層との組み合わせが可能にするという見解に基づく。その結果、特に、そのシステムのピッチが比較的小さい、且つ／或いは、その固体照明ストリップの光出力が十分に高い場合に、そのパネルシステムにおける照明装置の使用が完全に回避され得る。このことは、モジュール式パネルシステムの外観を改善する。さらに、グリッド内に吊される照明装置の排除によってモジュール式パネルシステムの外観を改善するためにモジュール式パネルシステムの大部分を取り替える必要がないように、例えば適切なクリップを用いて、本発明に係る固体照明ストリップを既存のモジュール式パネルシステムに組み込んで改良することも可能である。さらに、光抽出層とグレア低減層との組み合わせは、固体照明ストリップが、作業環境での使用のための関連の要件に適合するように、グレアを十分に取り除くことを可能にする。
【００１２】
望ましくは、光抽出層及びグレア低減層は、互いに向かい合って配置され、また、複数の固体照明要素は、光抽出層に隣接して配置される。固体照明要素の縁配置は、固体照明ストリップの全厚を低減させ、それによって、モジュール式パネルシステムへの組み込みの容易さをさらに促進する。
【００１３】
一実施例では、固体照明ストリップは、そのストリップの長さ方向に第１面を有するハウジングを含み、その第１面は、光出口ウィンドウを含む。また、ハウジングは、第１面の両側に複数の側面を有する。グレア低減層は、光出口ウィンドウに対して置かれ、また、固体照明要素は、規則的な間隔で、光抽出層と複数の側面のうちの少なくとも１つとの間に置かれる。ハウジングは、不透明であり、固体照明要素によって生成される光がグレア低減層を通じて伝えられるのみであることを確かなものとし、且つ、固体照明ストリップの構造安定性を改善する。
【００１４】
固体照明ストリップの光効率を改善するために、グレア低減層と向き合う表面の反対側にある光抽出層の表面は、反射性部材を持っていてもよい。固体照明要素によって生成される光がより効率的に光抽出層に結合されるようにするためである。固体照明ストリップの光効率をさらに改善するために、ハウジングの内壁は反射性とされてもよい。
【００１５】
グレア低減層はマイクロレンズ光学プレートであることが望ましい。より望ましくは、マイクロレンズ光学プレートは、固体照明ストリップの全厚がわずか数ｍｍに維持され得るように、１ｍｍ以下の厚みを有する箔である。この構成は、固体照明ストリップがモジュール式パネルシステムのパネル支持要素に取り付けられた場合に、固体照明ストリップをとりわけ目立たないものとする。
【００１６】
別の実施例では、それら複数の固体要素は、固体照明ストリップによって生成され得る光強度を増大させるために、光抽出層の両側に固体要素の第１グループと固体要素の第２グループとを含む。
【００１７】
望ましくは、固体要素の第１及び第２グループはそれぞれ、異なる色を有する固体照明要素の複数のサブセットを含む。それらサブセットは、個別に制御可能である。この構成は、第１及び第２グループにおける固体要素の出力強度すなわち駆動電流を変えることによって固体照明ストリップの全体の色が変更され得るという利点を有する。
【００１８】
上述の２つのグループにおける固体要素のピッチは、光抽出層の幅の２倍よりも小さいものとなり得る。この比率において、生成された光の十分な均一性が保証されるためである。望ましくは、第１グループにおける固体照明要素は、ピッチの半分だけ、第２グループにおける固体照明要素に対してオフセットされる。この構成は、固体照明ストリップによってもたらされる光の均一性を改善するためである。
【００１９】
本発明の別の態様にしたがって、本発明に係る固体照明ストリップを複数含む照明システムが提供される。その照明システムは、入射する日光、部屋のレイアウト、及び部屋の占有率の少なくとも１つに応じて、個々の固体照明ストリップの光出力を設定するためのコントローラをさらに含む。このことは、固体照明ストリップの出力が、例えば廊下、オフィススペース、印刷機のある領域等の領域における局所的なニーズに適合されるのを可能にし、且つ／或いは、部屋の居住者の存在に適合されるのを可能にする。この目的のため、照明システムはさらに、その部屋における人の存在を検出する存在センサを含んでいてもよい。そして、コントローラは、その存在センサに応答する。
【００２０】
本発明のさらに別の態様にしたがって、本発明に係る固体照明ストリップを含むモジュール式パネルシステムのための支持要素が提供される。固体照明ストリップは、その支持要素に取り付けられ、或いは、その支持要素内に組み込まれる。
【００２１】
本発明のさらに別の態様にしたがって、建造物に取り付けるための支持部材と支持要素とを含むモジュール式パネルシステムが提供される。支持要素は、支持部材と、支持グリッドによって支持されるように寸法が決められる複数のパネルとの間に延びる。支持グリッドは、本発明に係る固体照明ストリップを複数含む。複数の固体照明ストリップは、望ましくは、複数の支持要素内に組み込まれ、或いは、それらに取り付けられる。
【００２２】
望ましくは、固体照明ストリップの出口ウィンドウの幅と、支持グリッドにおけるパネル支持要素のピッチとの間の比率は、室内の照明レベルがグレア基準にしたがうことを確保するために、０．０２〜０．０８の範囲内で選択される。より望ましくは、この比率は０．０４となるように選択される。
【００２３】
本発明の実施例を、非限定的な例を用いて、添付図面を参照しながら、より詳細に説明する。
【図面の簡単な説明】
【００２４】
【図１】モジュール式パネルシステムのための従来技術による照明装置を概略的に示す。
【図２】モジュール式パネルシステムのための別の従来技術による照明装置を概略的に示す。
【図３】本発明の実施例にしたがった固体照明ストリップを含むモジュール式パネルシステムの一部を概略的に示す。
【図４】本発明の固体照明ストリップでの使用に適したグレア低減層の非限定的な例を概略的に示す。
【図５】ランバート光源と共に使用された場合の図４のグレア低減層の光分布のシミュレーション結果を示す。
【図６】本発明の別の実施例にしたがった固体照明ストリップを含むモジュール式パネルシステムの一部を概略的に示す。
【図７】本発明の別の実施例にしたがった固体照明ストリップを含むモジュール式パネルシステムの一部を概略的に示す。
【図８】本発明の実施例にしたがった固体照明ストリップの一態様を概略的に示す。
【図９】本発明のさらに別の実施例にしたがった固体照明ストリップを含むモジュール式パネルシステムの一部を概略的に示す。
【図１０】本発明の実施例にしたがったモジュール式パネルシステムを有する部屋を概略的に示す。
【図１１】本発明の実施例にしたがったモジュール式パネルシステムをより詳細に概略的に示す。
【図１２ａ】遮蔽反射器を含む、本発明の実施例にしたがった照明ストリップを概略的に示す。
【図１２ｂ】遮蔽反射器を含む、本発明の実施例にしたがった照明ストリップを概略的に示す。
【図１２ｃ】遮蔽反射器を含む、本発明の実施例にしたがった照明ストリップを概略的に示す。また、追加的な遮蔽反射器の存在を示す。
【図１２ｄ】遮蔽反射器を含む、本発明の実施例にしたがった照明ストリップを概略的に示す。また、追加的な遮蔽反射器の存在を示す。
【発明を実施するための形態】
【００２５】
上記図面は、概略的なものにすぎず、縮尺通りに描かれたものではない。また、上記図面全般にわたって、同じ或いは同様の部品を示すために同じ参照番号が用いられる。
【００２６】
図３は、モジュール式パネルシステム２００のパネル支持要素２１０を示し、それは、パネル又はタイル２２０を支持するように設計される。この目的のため、パネル支持要素２１０は、パネル又はタイル２２０が載るリップ２１２を含んでいてもよい。そのようなモジュール式パネルシステム２００の例は、吊り天井及び吊り床を含む。パネル支持要素２１０は、導光層等の光抽出層１２０に隣接して複数の側部発光ＬＥＤ１１０が配置されるところの固体照明ストリップ１００を含む。光抽出層１２０は、規則的な間隔で、側部発光ＬＥＤ１１０から受けた光を結合してグレア低減層１３０に出す。そして、そのことは、固体照明ストリップ１００から放出される光の強度が、パネル２２０によって形成される平面に対する浅い角度において、モジュール式パネルシステム２００が取り付けられる部屋にいる人に対するグレアを抑えるのに十分低い状態に維持されることを確かなものとする。ＬＥＤ１１０からグレア低減層１３０への光抽出層１２０を介した光の供給はさらに、グレア低減層１３０が均一な形で照らされることを確かなものとし、それ故に、固体照明ストリップ１００の光出力の均一性を向上させる。光抽出層１２０は、光をグレア低減層１３０に結合するために、規則的に間隔を空けて配置される複数の光抽出要素（例えば、溝）を含んでいてもよい。或いは、光抽出層は、グレア低減層１３０に面する複数の突起を持つ梁形状部材を含んでいてもよい。費用効率が高い実施例では、それら突起は、（白色の）塗料の点の形をとってもよい。それら突起は、望ましくは、均一な光抽出が得られるよう、規則的なパターンで配置される。
【００２７】
グレア低減層１３０は、望ましくは、マイクロレンズ光学（micro-lens  optical:  ＭＬＯ）プレート／プリズムプレートである。マイクロレンズ光学プレート／プリズムプレートは、望ましくは５ｍｍ未満の厚みの薄箔の形をとり、より望ましくはせいぜい１ｍｍの厚みの薄箔の形をとる。いわゆる安全超低電圧領域でＬＥＤ１１０が動作させられ得る場合に、そのような箔が使用され得るということが見出されている。安全超低電圧領域では、例えば５ＶＡ及びグローワイヤテストでテストされるように耐火性の要件があまり厳しくない。そのような動作モードは、例えば、以下でより詳細に説明するように、安全超低電圧領域で照明装置１００を動作させたときに室内の十分な照明レベルを確保するのに、モジュール式パネルシステム２００における照明装置１００の密度が十分高い場合に実現され得る。
【００２８】
通常、グレア低減層１３０は、光抽出層１２０から生じる光のかなりの量をこの層に反射する。それ故に、光抽出層１２０が反射層１４０とグレア低減層１３０との間に挟まれるように、反射層１４０を設けることが有利である。反射層１４０は、例えば、反射箔であってもよく、固体照明ストリップ１００に面するパネル支持要素２１０の表面若しくはパネル支持要素２１０に面する光抽出層１２０の表面に塗布される白色塗料の層であってもよい。そのような反射層１４０の他の実施例も同じように実現可能である。
【００２９】
ＭＬＯプレート／箔１３０の使用は、特に光抽出層１２０の両側に（すなわち隣接して）配置される側部発光ＬＥＤ１１０が使用される場合に、固体照明ストリップ１００の全厚を５ｍｍ未満に維持することを可能にする。これは、所望の照明レベルを実現するために使用される必要のある材料が少なくなるため、照明装置の重量及びコストを低減させる。
【００３０】
ＭＬＯ層１３０の寸法、より正確には、ＭＬＯ層１３０の出口ウィンドウの幅Ｗは、望ましくは、図３に示すようにパネル支持要素２１０のピッチＰの０．０４倍となるように選択される。この比率で、光出力と最小限の出現との間の最適トレードオフが実現されるためである。パネル支持要素２１０の一般的な幅は、２．４ｃｍである。支持要素２１０の（幅方向における）ピッチを６０ｃｍに定めることによって、上述のように、安全超低電圧領域で照明装置１００を駆動しながら、十分な輝度レベルが室内で実現され得る。上述の比率が０．０２〜０．０８の範囲にあれば、満足のいく結果がなおも得られる。
【００３１】
この比率の値が０．０２を下回ると、パネル支持要素２１０の密集度が高くなり過ぎて、モジュール式システム１００は、費用効率が高いものとはなり得ず、その出現は不満足なものとなる。この比率の値が０．０８を上回ると、部屋の均一な照明を確保するために、照明装置１００のそれぞれの出力レベルが、もはやグレアが避けられないレベル、すなわち、照明装置１００がもはや安全超低電圧領域では動作され得ないレベルまで、増大されなければならない程度まで、２つの照明装置１００の間隔が増大する。
【００３２】
それ故に、本発明の重要な見解は、照明装置１００の光出口ウィンドウの幅がＷ／Ｐ比で０．０２〜０．０８の範囲内となるようにモジュール式パネルシステム２００の固体照明装置／ストリップ１００の寸法を決めることによって、グレアとして認識される放射光の強度が様々な法定基準で決められているような許容レベルに維持され得る程度まで、照明装置１００の１個当たりの出力レベルが低減され得るという点にある。
【００３３】
固体照明ストリップ／照明装置１００は、望ましくは、固体照明ストリップ／照明装置１００の１メートル当たりに使用される要素のピッチ（メートル）の５００倍を超える光出力（ルーメン）を有する。これは、照明装置１メートル当たりの典型的なルーメン出力である、１５０ルーメンから６００ルーメンまでのルーメン出力をもたらす。このことは、通常、本発明に係るモジュール式パネルシステム２００、すなわち、固体照明ストリップ１００を含むモジュール式パネルシステムが取り付けられる部屋では追加的な照明が存在する必要がないことを確かなものとする。また、屋内での使用のためにモジュール式パネルシステム２００におけるパネル支持要素２１０のピッチが０．３〜３．０メートルの範囲内で選択されることが望ましい。この構成が室内における十分に均一な照明レベルを確かなものとするためである。
【００３４】
室内でモジュール式パネルシステム２００が組み立てられると、支持要素２１０は、望ましくは、日光のほとんどを受ける室内のウィンドウに平行に位置合わせされる。支持要素２１０の固体照明ストリップ１００は典型的には個別に制御可能であるため、この構成は、ウィンドウの近くにある支持要素２１０における固体照明ストリップ１００を、ウィンドウからさらに離れたところにある支持要素２１０における固体照明ストリップ１００よりも大きな度合いで薄暗くすることによって、室内の照明レベルを、入射する日光に合わせることを容易にする。
【００３５】
この目的のため、通常、別々の支持要素２１０における複数の固体照明ストリップ１００は、室内の照明要求に合わせて個々の固体照明ストリップ１００の出力を調節するためのコントローラ（図示せず。）をさらに含む照明システムの一部を形成する。その制御信号は、例えば、モジュール式パネルシステム２００を含む部屋のレイアウトに合わせて照明レベルを調節するように構成され得る。例えば、その部屋は、１又は複数の廊下によって互いに接続される複数の作業領域に分割され得る。そして、その部屋では、作業領域が、廊下よりも高い照明レベルを受けることになっている。この目的のため、コントローラは、廊下の上に位置付けられた固体照明ストリップ１００の光出力を低減させながら、作業領域の上に位置付けられた固体照明ストリップ１００の光出力を増大させてもよい。
【００３６】
同様に、コントローラは、例えば、モジュール式パネルシステム２００が通気孔又は空調ユニットの周りに取り付けられている場合、モジュール式パネルシステム２００のグリッドの規則性の乱れを補うために固体照明ストリップ１００の光出力を適応させてもよい。コントローラは、そのような乱れの下の照明の不在を補うために、そのような乱れの近くで照明レベルを増大するように構成されてもよい。
【００３７】
その照明システムは、日光センサ、及び／又は、室内にいる人の存在を検出するための存在センサといった１又は複数のセンサをさらに含んでいてもよい。コントローラは、照明レベルが相応に適応され得るように、これらのセンサに応答する。
【００３８】
現時点では、ＭＬＯベースのグレア低減層１３０は、比較的高い光出力レベルで金属のような外観を有し得る点に留意すべきである。このことは、場合によっては魅力のないものとされる。存在センサは、室内に１又は複数の人が存在する場合に、個々人が自身の活動を行うのに十分なレベルまで照明レベルを調節するために用いられてもよい。これらの照明レベルは、ＭＬＯベースのグレア低減層１３０の金属のような外観を避けるのに十分低く、モジュール式パネルシステム２００の全体の外観が改善されるようにする。
【００３９】
図３において、固体照明ストリップ１００は、望ましくはモジュール式パネルシステム２００の二次的な支持要素、すなわち、部屋の床、壁、又は天井に固定されない要素であるパネル支持要素２１０に統合される。例えば固体照明ストリップ１００の寿命末期の機能不良の場合に、天井、壁、又は床から一次支持要素を取り除く必要なく、パネル支持要素２１０が容易に置き換えられるようにするためである。また、この構成は、既存のモジュール式パネルシステムの支持要素を本発明に係るパネル支持要素２１０で置き換えることによって、固体照明ストリップが既存のモジュール式パネルシステムに容易に組み込まれ得るという利点を有する。
【００４０】
照明装置１００を含む支持要素２１０は、２４ｍｍ（幅）×６０ｃｍ（長さ）の光出口ウィンドウを有していてもよい。その照明装置は、約２５０ルーメンの光出力を有する。支持要素２１０は、前述したように６０ｃｍのピッチを有するパネル支持要素２１０の列にこれらの照明装置を設置することによって、吊り天井等のモジュール式パネルシステム２００で使用され得る。他の寸法も同様に実現可能である。
【００４１】
図４は、１０８°の頂角と５０マイクロメートルのピッチを持つ錐体１３２の長方形配列で構成されるＭＬＯベースのグレア低減箔１３０の非限定的な例を示す。各錐体１３２の頂部の小さな窪みは、製造上の理由で存在する。錐体１３２のピッチは、本発明の範囲から逸脱することなく変更され得る。それら錐体は、例えばＰＭＭＡ又はポリカーボネートといった任意の適切な透明材料で作られ得る。そのようなＭＬＯベースのグレア低減層１３０はそれ自体が知られているので、簡潔さのために、その製造についてのさらなる詳細を説明しない。また、グレア低減層１３０の代替的な実施例も実現可能であり、別の適切なグレア低減層１３０の例は、例えば国際公開第２００８０５８５８５号に見出され得る。
【００４２】
図５は、図４に示すＭＬＯ箔１３０の下にランバート光源が置かれたときのＭＬＯ箔１３０のシミュレートされた角度光強度分布を示す。矢印は、ＭＬＯ箔１３０を通過した光線の向きを示す。その反対方向に伝わる光は、ＭＬＯ箔１３０で反射した光である。その反射光は、前述のように、拡散反射面の使用によって再生利用され得る。
【００４３】
図５で見られるように、垂直な光放射軸に対する６５°の角度での光強度は極めて低い。通常、これらの角度の周辺で放射される光はグレアを引き起こすので、ＭＬＯ箔１３０がグレアを効率的に抑制できることを見て取ることができる。０．０４のＷ／Ｐ比で且つ照明装置１メートル当たり３８０ルーメンの輝度出力で動作するモジュール式パネルシステム２００における照明装置１００のＭＬＯ箔１３０に関し、６５°での輝度レベルは、約１１００［ｃｄ／ｍ２］であることが分かった。これは、１５００［ｃｄ／ｍ２］を超えないというそのレベルの必要条件をはるかに下回っている。これは、ＵＧＲ法にしたがったグレア評価値の１７未満に等しく、１９以下とされるＵＧＲ要件をはるかに下回る。
【００４４】
図６は、改造目的に特に適した固体照明ストリップ１００の代替的な実施例を示す。固体照明ストリップ１００は、パネル支持要素２１０に組み込まれるよりもむしろ、パネル支持要素２１０の露出面に取り付けられる。パネル支持要素２１０は、ほんの非限定的な一例として、Ｔ字形状を有する。固体照明ストリップ１００は、ハウジング１５０を含み、ハウジング１５０は、ハウジング１５０の長さ方向において、光出口ウィンドウ１５４を含む底面１５２、Ｔ字形状のパネル支持要素２１０に面する頂面１５８、及び、底面１５２から頂面１５８に延びる側面１５６を含む。グレア低減層１３０は、光出口ウィンドウ１５４に取り付けられる（例えば、その上に固定される。）。なお、光抽出層１２０は、頂面１５８とグレア低減層１３０との間に位置付けられる。グレア低減層１３０は、固体照明ストリップ１００の光出力を改善する反射性包囲物によって適切な位置で保持されてもよい。
【００４５】
側部発光ＬＥＤ１１０及び１１０’は、光抽出層１２０と側壁１５６のうちの１つとの間に位置付けられる。そして、（垂直矢印で示されるように）浅い角度の光線の大部分が避けられるようにその光を取り出す（couple  out）ために、（水平矢印で示されるように）それらの光出力が光抽出層１２０内に結合されるようにする。
【００４６】
ハウジング１５０の材料は、可撓性であってもよく、例えば、プラスチック材料で作られてもよい。ハウジング１５０は、固体照明ストリップ１００の光出力を最大にするために、その内側が反射性であってもよい。任意の適切な反射性材料が使用され得る。ハウジング１５０の材料が反射性であってもよく、或いは、ハウジング１５０の内面が反射性材料でコーティングされてもよい。また、反射層がハウジング１５０の上面１５８と光抽出層１２０との間にあってもよい。
【００４７】
上面１５８の外面は、固体照明ストリップ１００をパネル支持要素２１０に固定するための接着剤を含んでいてもよい。或いは、固体照明ストリップ１００は、適切な締め具を用いて、パネル支持要素２１０に締め付けられてもよい。代替的な固定手段は当業者にとって明らかである。図６の固体照明ストリップ１００の実施例はパネル支持要素２１０とは別のものとして示されているが、図３に示すようにこの実施例をパネル支持要素２１０に組み込むことも同じように実現可能である。
【００４８】
図７は、固体照明ストリップ１００のさらに別の実施例を示す。この実施例では、ＬＥＤ１１０及び１１０’が、パネル支持要素２１０と並列に且つパネル支持要素２１０の縁に置かれ、且つ、ハウジング１５０が支持要素２１０の周りに被覆材を形成する。ＬＥＤ１１０及び１１０’は、この実施例では高出力ＬＥＤであってもよい。また、この実施例は、改造目的に特に適している。或いは、そのような固体照明ストリップ１００は、その組立中にパネル支持要素２１０に取り付けられてもよい。
【００４９】
パネル支持要素２１０が所定の長さＬ（例えば１メートル）を超える場合、光効率の理由から、光抽出層１２０を別々の部分に分離することが有利となり得る。これは、図８に示される。図８は、固体照明ストリップ１００を伴うパネル支持要素２１０の側面図を示す。光抽出層部分１２０は、望ましくは、規則的な間隔で、すなわち周期的に配置される。ＬＥＤ１１０及び１１０’は、２つの光抽出層部分１２０の間の隙間に配置されてもよい。これらの領域は、光抽出層部分１２０が点灯した場合にも暗いままであり、それ故に、ＬＥＤ１１０及び１１０’を隠せるからである。
【００５０】
図９は、光抽出層１２０（例えば光ガイド）に隣接する固体照明ストリップ１００におけるＬＥＤ１１０及び１１０’の望ましいレイアウトを示す。ＬＥＤ１１０及び１１０’は、望ましくは、均一な光出力を確保するために光抽出層１２０の幅Ｗのせいぜい２倍であるピッチＰ’で規則的に間隔を空けて配置される。また、第２ＬＥＤグループにおけるＬＥＤ１１０’は、望ましくは、第１ＬＥＤグループにおけるＬＥＤ１１０に比べ、長さＬの方向にピッチＰ’の半分（すなわちＰ’／２）だけ変位させられる。このことは、光抽出層１２０及び固体照明ストリップ１００によってもたらされる光の均一性がさらに改善されることを確かなものとする。
【００５１】
比較的大きなピッチＰ’は、ＬＥＤ１１０及び１１０’に吸収される光がより少ないので、照明装置自身がより効率的となり得るという利点を有する。比較的小さなピッチＰ’は、照明装置１００の出力がより均一に見えるという利点を有する。一般的に、ＬＥＤ１１０及び１１０’のピッチＰは、照明装置１００の所要のルーメン出力によって左右される。いずれにせよ、ピッチＰは、均一性の理由から、おそらく５ｃｍ未満となるであろう。
【００５２】
一実施例では、ＬＥＤ１１０及び１１０’の複数のグループは、例えば温白色及び冷白色といった異なる白色を有するＬＥＤの複数のサブセットを含む。これらのサブセットを個別に制御可能とすることによって、固体照明ストリップ１００の光出力の光温度が制御され得る。
【００５３】
また、ＬＥＤのグループをなくすこと、すなわち、光抽出層１２０の一方の側のみにＬＥＤを持つことも実現可能であることを強調しておく。また、異なる色を有するＬＥＤ１１０及びＬＥＤ１１０’の複数のサブセットが存在することは必ずしも必要ではない。ＬＥＤ１１０及び１１０’の各グループが単一色のみを有することも同じように実現可能である。その構成では、光抽出層１２０の異なる側にあるＬＥＤが単一の制御信号によって制御されてもよい。
【００５４】
図１０は、固体照明ストリップ／照明装置１００を含むモジュール式パネルシステム（ここでは吊り天井）が取り付けられた部屋の外観のシミュレーションを示す。モジュール式パネルシステムは、照明装置１００に垂直に走る一次支持梁（例えばバンドラスタ）、及び、照明装置１００と共に延びる隣接する２つの一次支持梁の間に延びる支持要素とを有していてもよい。シミュレーションは、６０ｃｍのピッチＰの複数列のパネル支持要素２１０を有する天井にある、２４ｍｍの幅と６０ｃｍの長さを有する固体照明ストリップ１００に関し、２３０［ルーメン］、すなわち、ストリップ１００の１メートル当たり３８０［ルーメン］の発光出力をそれぞれ有する固体照明ストリップ１００を有することによって、室内の作業面で５００［ルクス］の輝度が実現され得ることを明らかにした。
【００５５】
モジュール式パネルシステム２００の非限定的な例を示す図１１に示されるように、モジュール式パネルシステム２００の一次支持梁２０５は、２つの一次支持梁２０５の間に延びるパネル又はタイル２２０を支えるパネル支持要素２１０と共に、部屋の天井３００から吊されている。照明装置１００は、前述のように、例えばパネル支持要素２１０への組み込み又はパネル支持要素２１０への取り付けによってパネル支持要素２１０に取り付けられる。モジュール式パネルシステム２００の全体を取り外すことなく（例えば天井３００から取り外すことなく）、パネル支持要素２１０がモジュール式パネルシステム２００から容易に取り外されるので、従来技術に係るパネル支持要素２１０を本発明に係るパネル支持要素２１０で置き換えることによって、或いは、既存のパネル支持要素２１０に照明装置１００を取り付けることによって照明装置１００をモジュール式パネルシステム２００に組み込むことは容易で且つ費用効率が高い。また、当然ながら、本発明に係る照明装置１００を一次支持梁２０５に組み込むこと(integrate)、又は、照明装置１００を一次支持梁２０５に組み込んで改良（retrofit）することも実現可能である。しかし、この構成は、パネル支持要素２１０に取り付けること又は組み込んで改良することに比べて、おそらく容易ではなく費用効率も高くないであろう。繰り返しになるが、本発明にしたがったモジュール式パネルシステム２００に関し、固体照明ストリップ１００の出口ウィンドウの幅Ｗとパネル支持要素２１０のピッチＰとの比率は、０．０２〜０．０８の範囲内で選択されることが望ましい。また、Ｗ／Ｐは、既に述べた理由から、望ましくは０．０４である。
【００５６】
光抽出層に隣接して配置される固体照明要素が固体照明ストリップの縁に沿った明るい点として見えるようになること（これは、光反射及び／又は照明ストリップにおける欠陥の存在のために起こり得る。）を防止するために、照明ストリップの縁で且つ見える側のところに遮蔽反射器が置かれてもよい。この構成を図１２に示す。
【００５７】
図１２ａは、固体照明要素１１０及び１１０’、光抽出層１２０、及びグレア低減層１３０を含む本発明にしたがった照明ストリップの断面を示す。照明ストリップは、光出口ウィンドウ１５４を含む底面を含むハウジングの一部となり得る遮蔽反射器１５５及び１５５’をさらに含む。固体照明要素１１０及び１１０’を遮蔽することは別として、遮蔽反射器１５５、１５５’は、照明ストリップの個々の構成要素を纏めるための締め具として用いられてもよい。
【００５８】
図１２ｂに示すように、グレア低減層１３０の厚みが増大するにつれて、照明ストリップの見える側における遮蔽反射器１５５、１５５’の延長部は、固体照明要素１００、１１０’の十分な遮蔽を維持するために増大する必要がある。そのような延長部は、特に照明ストリップが例えば２４ｍｍの小さい幅を有する場合に、光出口ウィンドウ１５４の面積を低減させ、それによって、照明システム全体としての効率を低減させる。この欠点は、図１２ｃに示すように、光抽出層１２０とグレア低減層１３０との間にも遮蔽をもたらすために遮蔽反射器１５５ｂ、１５５’ｂを配置することによって克服され得る。追加的な遮蔽物１５５ｂ、１５５’ｂは、図１２ｄに示すように、グレア低減層１３０の一部として（光抽出層１２０に面する側に）提供されてもよい。この構成は、例えば、一片のテープを貼り付けることによって容易に実施され得る。機械的剛性がグレア低減層１３０自身によってもたらされるためである。また、この構成は、別個の（分離した）構成要素の数が減るため、製造の複雑さを低減させる。また、追加的な遮蔽物１５５ｂ、１５５’ｂは、光抽出層１２０の一部として提供されてもよい。この構成も、別個の（分離した）構成要素の数が減ることによって、製造の複雑さが低減されるという利点を有する。さらに、それは、その遮蔽物を提供するために（固体照明要素を保持する）ＰＣＢが使用され得るという追加的な利点を有する。光抽出層１２０とグレア低減層１３０との間にある追加的な遮蔽物１５５ｂ、１５５’ｂは、鏡面反射性であってもよく、拡散反射性であってもよく、或いは吸収性であってもよい。この遮蔽物は光学的に接触しているため、鏡面反射性であることが望ましい（吸収性遮蔽物又は拡散反射性遮蔽物は、アーチファクト又は効率の低下をもたらし得る。）。
【００５９】
上述の実施例は、本発明を限定するものではなく本発明を説明するものである点、及び、当業者は、添付の請求項の範囲を逸脱することなく、多くの代替的な実施例を設計し得る点に留意すべきである。請求項では、括弧内の参照符号が何れも請求項を限定するものとして解釈されてはならない。単語“含む”は、請求項に記載された要素又はステップ以外の要素又はステップの存在を排除しない。要素の単数形は、その要素が複数存在することを排除しない。本発明は、複数の独立した要素を含むハードウェアを用いて実現され得る。複数の手段を列挙する装置クレームでは、それらの手段のうちの複数のものが、同じ１つのハードウェアアイテムによって具体化され得る。複数の特定の方策が互いに異なる従属項に記載されているという単なる事実が、それらの方策の組み合わせが都合よく利用され得ないことを意味することはない。
【図１】
0006038116.tif 000002
【図２】
0006038116.tif 000003
【図３】
0006038116.tif 000004
【図４】
0006038116.tif 000005
【図５】
0006038116.tif 000006
【図６】
0006038116.tif 000007
【図７】
0006038116.tif 000008
【図８】
0006038116.tif 000009
【図９】
0006038116.tif 000010
【図１０】
0006038116.tif 000011
【図１１】
0006038116.tif 000012
【図１２ａ】
0006038116.tif 000013
【図１２ｂ】
0006038116.tif 000014
【図１２ｃ】
0006038116.tif 000015
【図１２ｄ】
0006038116.tif 000016